(57)【要約】【課題】装置本体の内部で発生した排水を加湿器で蒸発させることで、排水の排出作業を不要として排水処理を容易化する。【解決手段】装置本体１１の機械室１３にオーガ式製氷機１５が設置されると共に、装置本体１１の貯氷室１４に製氷機１５に製氷水を供給する内部貯水タンク１６が収容される。装置本体１１の底部にキャスター１２が配設され、貯水式製氷装置１０は移動可能に構成される。装置本体１１の底部に、本体内部で発生した排水が集められる排水タンク３９に連通接続する加湿器４２が配設される。この加湿器４２の加湿タンク４３に溜った排水は、ヒータＨにより加熱されて蒸気となり、排気ファンＥＦＭの回転により排気口４４から機外に排気される。【選択図】図１
2006038262.tif 000002
【特許請求の範囲】
【請求項１】
所要形状の氷塊を製造する製氷機(15)が配設される装置本体(11)の内部に、該製氷機(15)に供給する製氷水が貯留される内部貯水タンク(16)を備えて、移動可能な貯水式製氷装置において、
前記装置本体(11)に、該本体(11)の内部で発生した排水を蒸発させる加湿器(42)を配設した
ことを特徴とする貯水式製氷装置。
【請求項２】
前記排水が集められる排水タンク(39)と前記加湿器(42)の加湿タンク(43)とを連通接続して、該加湿タンク(43)内に排水タンク(39)内と同一水位で排水が貯留されるよう構成し、前記排水タンク(39)に配設した検知手段(FS3)が、該排水タンク(39)内の水位が上限水位に至ったことを検知したときに、前記加湿器(42)を運転して加湿タンク(43)内の排水を蒸発させ、該排水タンク(26)内の水位が下限水位まで下がったことを前記検知手段(FS3)が検知したときに、前記加湿器(42)の運転を停止するよう構成した請求項１記載の貯水式製氷装置。
【発明の詳細な説明】
【技術分野】
【０００１】
この発明は、製氷機に供給される製氷水を貯留した内部貯水タンクを装置本体に収容して移動可能に構成された貯水式製氷装置に関するものである。
【背景技術】
【０００２】
所要形状の氷塊を自動的に多数製造する製氷装置は、一定箇所に据付けられ、該据付け位置から離れた位置で氷塊が必要となった場合には、必要な量の氷塊をアイスボックスに入れて持ち運んでいた。しかし、この場合に、氷塊の量が多くなると持ち運ぶのが重労働となるだけでなく、氷塊が融けてしまう難点も指摘される。そこで、製氷装置自体を移動可能に構成することで、氷塊が必要な場所に製氷装置を移動し得るようにしたものがある(例えば、特許文献１参照)。
【０００３】
前記特許文献１に開示の装置は、筐体の内部に製氷槽が配設され、該製氷槽に貯留した水を氷結することで板氷を製造し、この板氷をカッターにより所定寸法に切断し、得られたロックアイスを受氷容器に放出して貯留するよう構成される。また前記筐体の底面にキャスターが配設され、装置自体をロックアイスが必要となる場所に移動し得るようになっている。
【特許文献１】特開平１１−６３７５０号公報
【発明の開示】
【発明が解決しようとする課題】
【０００４】
前記文献１に開示の装置では、前記製氷槽あるいは受氷容器が収容される収容部等で排水が発生し、この排水を処理する必要がある。前記据付け型の製氷装置では、据付け場所に近接して設けた排水設備に、ドレンパイプ等を介して排水を排出することで対処し得る。しかし、必要に応じて移動可能に構成した装置では、その移動した場所に排水設備がなければ、新たに設ける必要があり実用的ではない。従って、機内で発生した排水を、筐体内部に配設したドレンパンに集めて、定期的にドレンパンを取外して機外に排出することで対処するのが一般的である。しかるに、多量の排水が発生した場合は、ドレンパンから排水を排出する作業を頻繁に行なわなければならず、極めて煩雑となる。また、排出作業を怠るとドレンパンから排水が溢れて周囲を濡らしたり、あるいは装置の移動中にドレンパンが外れて排水が飛散するおそれもある。
【０００５】
すなわち本発明は、前述した従来の技術に内在している前記課題に鑑み、これを好適に解決するべく提案されたものであって、装置本体の内部で発生した排水を加湿器で蒸発させることで、排水の排出作業を不要として排水処理を容易化し得る貯水式製氷装置を提供することを目的とする。
【課題を解決するための手段】
【０００６】
前記課題を克服し、所期の目的を好適に達成するため、本発明に係る貯水式製氷装置は、
所要形状の氷塊を製造する製氷機が配設される装置本体の内部に、該製氷機に供給する製氷水が貯留される内部貯水タンクを備えて、移動可能な貯水式製氷装置において、
前記装置本体に、該本体の内部で発生した排水を蒸発させる加湿器を配設したことを特徴とする。
【発明の効果】
【０００７】
本発明の請求項１に係る貯水式製氷装置によれば、装置本体の内部で発生した排水を加湿器で蒸発させるから、排水の排出作業を不要として、作業者の労力を軽減し得る。また排水が機外に溢れたり飛散することはないから、周囲を濡らすこともない。
【０００８】
請求項２に係る貯水式製氷装置によれば、加湿器の加湿タンクと連通接続する排水タンクに配設した検知手段の検知状態に応じて、該加湿器の運転を制御するよう構成したから、加湿器を効率的に運転させ得る。
【発明を実施するための最良の形態】
【０００９】
次に、本発明に係る貯水式製氷装置につき、好適な実施例を挙げて、添付図面を参照しながら以下説明する。
【実施例】
【００１０】
図１は、実施例に係る貯水式製氷装置の概略構成を示すものであって、該貯水式製氷装置１０の装置本体１１における底部に複数のキャスター１２が配設され、当該貯水式製氷装置１０は必要に応じて移動し得るよう構成される。装置本体１１は、下方の機械室１３と上方の貯氷室１４とに仕切られ、機械室１３にオーガ式製氷機(製氷機)１５が設置されると共に、貯氷室１４には該製氷機１５に製氷水を供給する内部貯水タンク１６が着脱自在に収容されている。
【００１１】
〔オーガ式製氷機について〕
前記オーガ式製氷機１５は公知のものであって、その構成を概略的に説明すれば、円筒状の冷凍ケーシング１７の外周に、圧縮機ＣＭ(図３参照)や凝縮器等からなる冷凍機構(図示せず)に連通する蒸発管１８が密着的に巻回され、製氷運転時に冷媒を該蒸発管１８に循環させることにより、冷凍ケーシング１７を強制冷却するよう構成される。また、冷凍ケーシング１７には後述するリザーブタンク２６から製氷水が後述する設定水位Ｌとなるよう供給され、製氷運転が開始されて冷凍ケーシング１７が強制冷却されることで、製氷水がケーシング内壁面から徐々に氷結を始め、層状の薄氷が形成されるようになっている。
【００１２】
前記冷凍ケーシング１７の内部にはオーガスクリュー１９が回転自在に内挿され、製氷機下部に配設されたギヤードモータＧＭによりオーガスクリュー１９が回転駆動される。オーガスクリュー１９には、冷凍ケーシング１７の内径より僅かに小さい外径の削切刃が螺旋状に形成され、該ケーシング１７の内壁面に氷結する薄氷を、ギヤードモータＧＭにより回転されるオーガスクリュー１９の削切刃で削り取りつつ上方に移送するよう構成される。そして、冷凍ケーシング１７の上部に配設されてオーガスクリュー１９の上軸部を回転可能に支持する押圧頭２０で、オーガスクリュー１９により削り取られつつ上方に移送されるフレーク状氷を圧縮し、得られた圧縮氷(氷塊)を前記貯氷室１４内に放出して底部側から順次貯留するようになっている。
【００１３】
〔貯氷室について〕
前記貯氷室１４は、上方に開放する箱状に形成され、その上端には天板２１が着脱可能に配設されて上部開口を閉成するよう構成される。この貯氷室１４の内底部は、図示しない氷取出口が設けられる前側が低くなると共に、奥側が一段高くなるよう所要の段差が設定されている。そして、貯氷室１４の一段高くなっている奥底部１４ａにおける前部側に、前記オーガ式製氷機１５を構成する冷凍ケーシング１７の上端部が貫通して貯氷室１４内に臨むよう構成される。なお、貯氷室１４の一段低くなっている前底部１４ｂには、装置本体１１の底部に配設された後述する排水タンク３９に連通接続する排水管２２が配設され、貯氷室１４内に溜った氷塊の融解水等を該排水管２２を介して排水タンク３９に排出し得るようになっている。
【００１４】
〔リザーブタンクおよび内部貯水タンクについて〕
前記貯氷室１４の奥底部１４ａにおける後部側に、凹部２４が形成され、該凹部２４に、オーガ式製氷機１５に水供給管２５を介して連通接続するリザーブタンク２６が配設されている。このリザーブタンク２６は上方に開口し、その開口部は、製氷水の貯留量(水位)を検知するための第１フロートスイッチＦＳ１が配設された蓋部材２７により開閉可能に閉成されるようになっている。また蓋部材２７には、前記内部貯水タンク１６が着脱自在に接続される接続口部２８が設けられ、該接続口部２８に内部貯水タンク１６に設けた後述の口金３０をセットすることで、内部貯水タンク１６に貯留されている製氷水(水)がリザーブタンク２６に流入可能な状態となるよう構成される。そして、内部貯水タンク１６および蓋部材２７をリザーブタンク２６から取外すことで、該リザーブタンク２６の内部の清掃や第１フロートスイッチＦＳ１の保守等のメンテナンスを容易に行ない得るようになっている。なお図１において符号２９は、リザーブタンク２６に貯留される製氷水が、第１フロートスイッチＦＳ１で規定される上限水位を越えて貯留されるのを防止するためのオーバーフローパイプを示し、該パイプ２９は前記排水タンク３９に連通接続してある。
【００１５】
前記接続口部２８は、図２に示す如く、前記蓋部材２７の上面から下方に所定高さだけ凹設されて、その底面における中央にピン２８ａが所定高さで突設されると共に、該ピン２８ａの周りの底面に複数の通孔２８ｂが穿設されている。また前記内部貯水タンク１６は、前記貯氷室１４の奥底部側に着脱自在に収容されるものであって、その底面に設けた給水口１６ａに、弁機構を備えた口金３０が着脱自在に取付けられている。弁機構は、口金３０の口を開閉可能な弁体３１を備え、該口金３０をリザーブタンク２６の接続口部２８にセットすることで内部貯水タンク１６をリザーブタンク２６の上方に設置した際に、該接続口部２８の前記ピン２８ａにより弁体３１が押し上げられて口を開放することで、内部貯水タンク１６内の製氷水が通孔２８ｂを介してリザーブタンク２６に流入するよう構成される。そして、リザーブタンク２６内の水面が接続口部２８における通孔２８ｂの位置に達すると、内貯貯水タンク１６からリザーブタンク２６への流路が塞がれることとなり、この状態で内部貯水タンク１６内とリザーブタンク２６内との圧力がバランスし、製氷水の流入が停止するようになっている。すなわち、内部貯水タンク１６内に製氷水が残っている状態では、リザーブタンク２６内の水面は、常に内部貯水タンク１６からリザーブタンク２６への製氷水の入口となる接続口部２８における通孔２８ｂの穿設レベル(設定水位Ｌ)に保持される。
【００１６】
〔水供給回路について〕
前記機械室１３には、前記内部貯水タンク１６とは別の外部貯水タンク３２に貯留されている製氷水(水)を、前記オーガ式製氷機１５に供給するための水供給回路３３が、前記リザーブタンク２６の配設位置より下方に配設されている。この水供給回路３３は、外部貯水タンク３２に第１接続管３４を介して入口側が連通接続される水検出装置３５と、該水検出装置３５の出口側に第２接続管３６を介して吸込側が接続されると共に前記水供給管２５に第３接続管３７を介して吐出側が連通接続される電磁ポンプ(ポンプ)ＰＭとを備え、該ポンプＰＭを作動することで、外部貯水タンク３２内の製氷水は、第１接続管３４→水検出装置３５→第２接続管３６→電磁ポンプＰＭ→第３接続管３７および水供給管２５を介してオーガ式製氷機１５に供給されるよう構成される。なお、このとき外部貯水タンク３２内の製氷水はリザーブタンク２６にも供給される。
【００１７】
前記水検出装置３５の内部には、装置内部を流通する製氷水の量(実施例では内部における水位)を検知する第２フロートスイッチＦＳ２が配設され、装置内の水位が予め設定された下限水位以下(下限流通量以下)となったことを該第２フロートスイッチＦＳ２が検知したときに、後述する電気制御回路によりオーガ式製氷機１５の運転を停止するよう設定されている。なお、水検出装置３５内における製氷水の流通路の底部には外部に連通する小孔(図示せず)が設けられ、オーガ式製氷機１５の運転が停止したときに内部に残留している製氷水を該小孔を介して外部に排出し、製氷水が長期に亘って内部に残留することで不衛生となるのを防止するようにしてある。
【００１８】
〔外部貯水タンクについて〕
前記外部貯水タンク３２は、前記内部貯水タンク１６より大容量に設定されて、多量の製氷水を貯留可能に構成され、貯水式製氷装置１０の装置本体１１が設置される床面に載置されて、前記リザーブタンク２６の配設位置より下方に設置された状態で用いられる。この外部貯水タンク３２には、下端を内底面近傍に臨ませた取出管３８が内挿され、その上端がタンク上部に延出している。そして、この取出管３８の上端部に、前記第１接続管３４を着脱自在に連通接続することで、外部貯水タンク３２が水供給回路３３に着脱自在に接続される。なお、前記オーガ式製氷機１５における水回路(製氷水が流通する部分)の洗浄時(洗浄運転時)には、外部貯水タンク３２に洗浄液を貯留し、該洗浄液を水回路に流通することで、回路内に付着したカルシウム等のスケールを除去し得るようになっている。この洗浄液は、例えば外部貯水タンク３２に貯留されている製氷水(水)に、食品衛生上問題のない洗浄剤を投入することで作られる。
【００１９】
〔排水回路について〕
前記機械室１３には、装置本体１１の底部に配設した排水タンク３９とオーガ式製氷機１５とを連通接続する排水回路４０が配設され、該排水回路４０に排水電磁弁(排水弁)４１が設けられている。この排水電磁弁４１は、後述する洗浄運転に際して開放されて、外部貯水タンク３２からオーガ式製氷機１５に供給された洗浄液を排水回路４０を介して排水タンク３９に排出するよう設定される。また排水タンク３９の内部には、該タンク３９に貯留される排水の量(水位)を検知する第３フロートスイッチ(検知手段)ＦＳ３が配設され、該フロートスイッチＦＳ３が予め設定された上限水位を検知したときに、電気制御回路により後述する加湿器４２を運転して、排水タンク３９に貯留されている排水を蒸気として機外に排気するよう構成される。そして、排水タンク３９内の排水の水位が、予め設定された下限水位まで下がったことを第３フロートスイッチＦＳ３が検知したときに、電気制御回路により加湿器４２の運転を停止するようにしてある。
【００２０】
〔加湿器について〕
前記装置本体１１の底部には、該本体１１の内部で発生した各種の排水が集められる前記排水タンク３９に連通接続する加湿器４２が配設されている。この加湿器４２は、排水タンク３９から排水が流入する加湿タンク４３と、該タンク４３に貯留される排水を加熱するヒータＨおよび排水が加熱されることで発生した蒸気を排気口４４を介して装置本体１１の外部に排出するための排気ファンＥＦＭとから基本的に構成される。なお、前記加湿タンク４３は、排水タンク３９内と同一水位で排水が貯留される関係で、該排水タンク３９に連通接続される。また前記排気口４４は、加湿タンク４３に一端が連通接続されて、装置本体１１の外表面側で開口すると共に、加湿タンク４３から本体表面に向かって拡開するよう形成されて、効率的に蒸気を排気し得るようになっている。
【００２１】
〔電気制御回路について〕
図３は、前記貯水式製氷装置１０の電気制御回路を示すものであって、主要構成部分についてのみ説明する。すなわち、電源母線に接続する主基板４５と、低電圧で駆動される副基板４６とは、変圧器ＴＲにより電気的に分離されている。主基板４５の電源に接続する電源供給ラインＲと電源供給ラインＴとの間に、リレーＸ2の常開接点Ｘ2−ａに直列接続する圧縮機ＣＭと、リレーＸ1の常開接点Ｘ1−ａに直列接続する凝縮器用ファンＣＦＭおよびリレーＸ5の常開接点Ｘ5−ａに直列接続する電磁ポンプＰＭが並列に接続される。なお、リレーＸ1の常開接点Ｘ1−ａと電源供給ラインＴとの間に、凝縮器用ファンＣＦＭと並列の関係でギヤードモータＧＭおよびリレーＸ3が接続される。
【００２２】
前記副基板４６では、リレーＸ6の常開接点Ｘ6−ａにリレーＸ5が直列接続されると共に、該リレーＸ5に第２フロートスイッチＦＳ２と洗浄ボタンＰＢＳとが並列に接続される。この第２フロートスイッチＦＳ２は、前記水検出装置３５内の水位が予め設定された下限水位より高い場合にはその接点が閉成され、水位が下限水位以下となったときに接点を開放するよう設定される。また、洗浄ボタンＰＢＳの接点は手動操作自動復帰接点であって、洗浄ボタンＰＢＳを押すことで接点が閉成し、離すことで接点が開放するよう設定されている。なお、洗浄ボタンＰＢＳは、外部貯水タンク３２を水供給回路３３に接続したときに、前記電磁ポンプＰＭを作動して、水検出装置３５内に製氷水を供給する初期給水動作を行なうためのボタンを兼用している。
【００２３】
前記副基板４６に設けられた切替えスイッチＳＳの製氷接点に接続された製氷スイッチＳＷに、リレーＸ4の常閉接点Ｘ4−ｂおよびリレーＸ6の常閉接点Ｘ6−ｂに直列接続した排水電磁弁４１が直列に接続される。なお、リレーＸ6の常開接点Ｘ6−ａとリレーＸ5との間の接続点ｄと、リレーＸ6の常閉接点Ｘ6−ｂと排水電磁弁４１との間の接続点ｅとが接続されている。また製氷スイッチＳＷとリレーＸ4の常閉接点Ｘ4−ｂとの間の接続点ｇとリレーＸ4との間に、第１フロートスイッチＦＳ１の上限接点ｆ−１ａおよびリレーＸ4の常開接点Ｘ4−１ａに直列接続する第１フロートスイッチＦＳ１の下限接点ｆ−２ａとが並列の関係で接続されている。第１フロートスイッチＦＳ１の上限接点ｆ−１ａは、前記リザーブタンク２６内の水位が上限水位以上であれば閉成され、上限水位より下がれば開放し、また下限接点ｆ−２ａは、水位が下限水位以上であれば閉成され、下限水位より下がれば開放するよう設定される。なお、第１フロートスイッチＦＳ１の上限接点ｆ−１ａで検知される上限水位は、前記設定水位Ｌより低い位置に設定されている。
【００２４】
前記切替えスイッチＳＳの洗浄接点にリレーＸ6が直列接続される。また、切替えスイッチＳＳの排水接点に排水電磁弁４１が直列接続される。
【００２５】
前記副基板４６に配設される制御基板４７に、リレーＸ1、ギヤードモータＧＭ、リレーＸ2および圧縮機ＣＭが接続される。またギヤードモータＧＭにリレーＸ4の常開接点Ｘ4−２ａが接続されると共に、ギヤードモータＧＭとリレーＸ2との間にリレーＸ3の常開接点Ｘ3−ａが介挿されている。なお、リレーＸ1は、前記第２フロートスイッチＦＳ２の接点が閉成している状態では励磁可能で、該接点が開放することで消磁されるように設定される。
【００２６】
図４は、前記加湿器４２に関連する電気制御回路を示すものであって、電源供給ラインＲと電源供給ラインＴとの間に、リレーＸ7の常開接点Ｘ7−１ａに直列接続されるヒータＨ、リレーＸ7の常開接点Ｘ7−２ａに直列接続される排気ファンＥＦＭ、リレーＸ7の常閉接点Ｘ7−ｂに直列接続される遅延タイマＴＭおよびリレーＸ7に直列接続される第３フロートスイッチＦＳ３が、夫々並列の関係で接続される。なお、電源供給ラインＲと排気ファンＥＦＭとの間に、リレーＸ7の常開接点Ｘ7−２ａと並列の関係で遅延タイマＴＭの常閉接点ｔ−ｂが接続されている。第３フロートスイッチＦＳ３は、前記排水タンク３９内の水位が上限水位に達したときに接点が閉成され、その水位が下限水位以下となったときに接点を開放するよう設定される。また遅延タイマＴＭは、通電により予め設定された設定時間をカウントしたときに、その常閉接点ｔ−ｂを開放するよう設定される。
【００２７】
〔実施例の作用〕
次に、前述した実施例に係る貯水式製氷装置の作用について説明する。
【００２８】
〔製氷運転について〕
前記貯水式製氷装置１０を給水設備や排水設備のない場所に移動して設置し、製氷水を給水した前記内部貯水タンク１６の口金３０をリザーブタンク２６の接続口部２８にセットすると、前記ピン２８ａによって弁体３１が押し上げられることで口金３０の口が開放し、内部貯水タンク１６に貯留されている製氷水は、接続口部２８の通孔２８ｂを介してリザーブタンク２６に流入する。またリザーブタンク２６から水供給管２５を介してオーガ式製氷機１５にも製氷水が供給される。そして、リザーブタンク２６内における製氷水の水位が、接続口部２８の通孔２８ｂを塞ぐ位置(設定水位Ｌ)に達すると(図２参照)、リザーブタンク２６内と内部貯水タンク１６内との圧力がバランスし、内部貯水タンク１６からの製氷水の流入は停止する。この状態では、前記第１フロートスイッチＦＳ１の上限接点ｆ−１ａおよび下限接点ｆ−２ａは何れも閉成する。
【００２９】
ここで、前記水供給管２５に接続してリザーブタンク２６より下方に位置する前記水供給回路３３にも、該リザーブタンク２６から製氷水が供給され、前記電磁ポンプＰＭおよび水検出装置３５の内部も製氷水で満たされる。すなわち、水検出装置３５の内部には下限水位を越えて製氷水が溜るから、前記第２フロートスイッチＦＳ２の接点は閉成し、前記リレーＸ1は励磁可能な状態となる。また、前記水検出装置３５に、装置本体１１の外部に設置した製氷水が給水されている前記外部貯水タンク３２の取出管３８を第１接続管３４を介して連通接続する。なお、前記排水タンク３９に排水は貯留されていないから、前記第３フロートスイッチＦＳ３の接点は開放している。
【００３０】
前述した状態において、前記オーガ式製氷機１５による製氷運転を行なうために、前記切替えスイッチＳＳを製氷接点に接続したもとで、製氷スイッチＳＷを投入(オン)すると、前記第２フロートスイッチＦＳ２の接点が閉成しているからリレーＸ1が励磁され、これと協働する常開接点Ｘ1−ａが閉成して、凝縮器用ファンＣＦＭへの通電が開始される。またリレーＸ3が励磁され、これと協働する常開接点Ｘ3−ａが閉成する。このとき、第１フロートスイッチＦＳ１の上限接点ｆ−１ａは前述したように閉成しているから、リレーＸ4が励磁され、これと協働する常開接点Ｘ4−２ａが閉成して、ギヤードモータＧＭへの通電が開始される。またリレーＸ4と協働する常開接点Ｘ4−１ａが閉成することで、リレーＸ4は第１フロートスイッチＦＳ１の下限接点ｆ−２ａを介して自己保持される。更に、リレーＸ3の常開接点Ｘ3−ａが閉成することで、リレーＸ2が励磁され、これと協働する常開接点Ｘ2−ａが閉成して、圧縮機ＣＭへの通電が開始される。これにより、オーガ式製氷機１５での製氷運転が開始され、前記貯氷室１４に順次圧縮氷が貯留される。なお、リレーＸ4と協働する常閉接点Ｘ4−ｂが開放するため、リレーＸ5は励磁されず、前記電磁ポンプＰＭは作動しない。
【００３１】
〔内部貯水タンクの空状態の運転について〕
製氷運転が継続することで前記内部貯水タンク１６内の製氷水が消費され、前記リザーブタンク２６内の水位が上限水位より下がると、前記第１フロートスイッチＦＳ１の上限接点ｆ−１ａは開放する。このとき、リレーＸ4は、その常開接点Ｘ4−１ａおよび第１フロートスイッチＦＳ１の下限接点ｆ−２ａを介して自己保持されているから、この状態ではまだ電磁ポンプＰＭへの通電はなされない。
【００３２】
前記リザーブタンク２６内の製氷水が更に減少し、下限水位まで下がったことを第１フロートスイッチＦＳ１が検知すると、前記下限接点ｆ−２ａが開放し、リレーＸ4の自己保持は解除されて該リレーＸ4は消磁される。これにより、リレーＸ4と協働する常開接点Ｘ2−２ａが開放して、ギヤードモータＧＭが停止する。またリレーＸ4と協働する常閉接点Ｘ4−ｂが閉成し、リレーＸ5への通電が可能となる。このとき、前記第２フロートスイッチＦＳ２の接点は閉成しているから、リレーＸ5が励磁され、これと協働する常開接点Ｘ5−ａが閉成することで電磁ポンプＰＭへの通電が開始され、該ポンプＰＭの作動により前記外部貯水タンク３２内の製氷水が水供給回路３３を介してオーガ式製氷機１５およびリザーブタンク２６に供給される。
【００３３】
前記外部貯水タンク３２からの製氷水がオーガ式製氷機１５およびリザーブタンク２６に供給され、該リザーブタンク２６内の水位が上昇して下限水位を越えたときに下限接点ｆ−２ａが閉成し、更に上昇して上限水位に至ると上限接点ｆ−１ａが閉成する。これにより、リレーＸ4が再び励磁され、これと協働する常閉接点Ｘ4−ｂが開放することでリレーＸ5が消磁され、これと協働する常開接点Ｘ5−ａが開放することで電磁ポンプＰＭが停止する。また、リレーＸ4と協働する常開接点Ｘ4−１ａが閉成して、該リレーＸ4は自己保持される。更に、リレーＸ4と協働する常開接点Ｘ4−２ａが閉成して、ギヤードモータＧＭへの通電が再開され、オーガ式製氷機１５での製氷運転が再開される。
【００３４】
そして、前記リザーブタンク２６内の水位が、再び下限水位まで下がると、前述したと同様に、電磁ポンプＰＭが作動して外部貯水タンク３２内の製氷水を、リザーブタンク２６内の水位が上限水位となるまで供給した後に、電磁ポンプＰＭが停止する工程を繰り返す。すなわち、容量の小さな内部貯水タンク１６に貯留されている製氷水が消費された後は、該内部貯水タンク１６に給水することなく、容量の大きな外部貯水タンク３２に貯留されている製氷水を使用してオーガ式製氷機１５の製氷運転を継続することができる。従って、多量の氷塊を製造する場合であっても、容量の小さな内部貯水タンク１６の給水作業を頻繁に行なう必要はなく、作業者の負担を軽減し得る。また装置本体１１は、容量の小さな内部貯水タンク１６を収容し得る大きさに設定されるから、大型化による設置スペースの増大を招くことはない。更に、内部貯水タンク１６内の製氷水が消費されてから、外部貯水タンク３２内の製氷水をオーガ式製氷機１５に供給するから、両貯水タンク１６,３２から同時に製氷水が供給されることで水回路に負荷が加わることもない。
【００３５】
前記外部貯水タンク３２内の製氷水が消費され、前記水検出装置３５に配設されている第２フロートスイッチＦＳ２が下限水位を検知すると、その接点が開放して、前記リレーＸ1が消磁される。これにより、リレーＸ1と協働する常開接点Ｘ1−ａが開放して、凝縮器用ファンＣＦＭが停止すると共に、リレーＸ3が消磁される。そして、リレーＸ3と協働する常開接点Ｘ3−ａが開放して、ギヤードモータＧＭが停止すると共にリレーＸ2が消磁され、これと協働する常開接点Ｘ2−ａが開放することで圧縮機ＣＭが停止し、オーガ式製氷機１５での製氷運転は停止される。
【００３６】
〔加湿運転について〕
前述した製氷運転中において、前記排水タンク３９の内部に配設された第３フロートスイッチＦＳ３が、上限水位を越えて排水が貯留されたことを検知すると、その接点を閉成することでリレーＸ7が励磁され、これと協働する常開接点Ｘ7−１ａ,Ｘ7−２ａが閉成して、ヒータＨおよび加湿ファンＥＦＭへの通電が開始される。すなわち、排水タンク３９から加湿タンク４３に流入した排水がヒータＨにより加熱され、これにより発生した蒸気が加湿ファンＥＦＭにより排気口４４を介して外部に排気される。
【００３７】
前記排水タンク３９内の排水が蒸発して水位が下がり、前記第３フロートスイッチＦＳ３が下限水位を検知すると、その接点が開放してリレーＸ7が消磁され、これと協働する常開接点Ｘ7−１ａが開放して、ヒータＨへの通電が停止する。なお、リレーＸ7と協働する常開接点Ｘ7−２ａも開放するが、排気ファンＥＦＭへの通電は遅延タイマＴＭの常閉接点ｔ−ｂを介して継続され、ヒータＨによる加熱が停止した後も排気ファンＥＦＭにより蒸気は機外に排気される。またリレーＸ7と協働する常閉接点Ｘ7−ｂが閉成して、遅延タイマＴＭへの通電が開始され、該タイマＴＭが設定時間をカウントする。そして、遅延タイマＴＭの設定時間が経過すると、その常閉接点ｔ−ｂが開放することで、加湿ファンＥＦＭへの通電が停止し、加湿運転は終了する。
【００３８】
そして、前記排水タンク３９内に排出される排水の量が増え、該排水の水位が上限水位に達したことを前記第３フロートスイッチＦＳ３が検知すると、前述したと同様の加湿運転が行なわれる。すなわち、排水タンク３９内に溜った排水を加湿器４２により蒸発させるから、該排水を排出するための排出設備を確保する必要はなく、当該貯水式製氷装置１０の設置場所が限定されることはない。また、従来のようにドレンパンに排水を集めるものではないから、作業者が頻繁にドレンパンを装置から取外して排水を排出する作業を行なう必要はなく、作業者の労力を軽減し得る。
【００３９】
〔洗浄運転について〕
前記オーガ式製氷機１５の運転を継続すると、製氷水中に含まれるカルシウム等の不純物が、水回路内にスケールとして析出するため、これを定期的に洗浄除去する必要がある。実施例の貯水式製氷装置１０では、水回路の洗浄運転に際しては、洗浄液を貯留した前記外部貯水タンク３２を、前記水供給回路３３に接続する。そして、前記切替えスイッチＳＳを洗浄接点に接続するように切替えることで、リレーＸ6が励磁され、これと協働する常開接点Ｘ6−ａが閉成し、前記排水電磁弁４１に通電されて開放する。この状態で洗浄ボタンＰＢＳを押すとその接点が閉成し、リレーＸ5が励磁され、これと協働する常開接点Ｘ5−ａが閉成して、電磁ポンプＰＭへの通電が開始される。これにより、外部貯水タンク３２に貯留されている洗浄液が、水供給回路３３を介してオーガ式製氷機１５に供給され、水回路の洗浄が行なわれる。なお、洗浄液は排水回路４０を介して排水タンク３９に回収される。
【００４０】
前記外部貯水タンク３２からの洗浄液が水検出装置３５を通過することで、前記第２フロートスイッチＦＳ２の接点が閉成し、前記洗浄ボタンＰＢＳを離して接点が開放しても、第２フロートスイッチＦＳ２の閉成された接点を介してリレーＸ5は引続き励磁される。そして、洗浄液の量が少なくなり、第２フロートスイッチＦＳ２が下限水位を検知して接点が開放すると、リレーＸ5が消磁され、これと協働する常開接点Ｘ5−ａが開放して、電磁ポンプＰＭへの通電が停止することで、洗浄運転は自動的に停止される。
【００４１】
すなわち、外部貯水タンク３２に貯留した洗浄液を使用して水回路の洗浄を行なうよう構成したから、前記貯氷室１４に貯留されている氷塊に洗浄液が付着する等の影響を与えることなく洗浄運転を行なうことができる。また、洗浄液は排水回路４０を介して排水タンク３９に排出するから、水回路に供給された洗浄液が前記貯氷室１４に溢れることもない。なお、前記天板２１を貯氷室１４から取外して上部開口を開放したもとで、前記内部貯水タンク１６を貯氷室１４から取出すことで、該貯氷室１４の内部およびリザーブタンク２６を洗浄することが簡単にできる。
【００４２】
〔排水運転について〕
前記切替えスイッチＳＳを排水接点に接続するように切替えると、前記排水電磁弁４１に通電されて開放し、オーガ式製氷機１５内に残留する製氷水を排水回路４０を介して排水タンク３９に排出することができる。
【００４３】
〔変更例〕
実施例では、リザーブタンク２６に内部貯水タンク１６を接続すると共に、水供給回路３３に外部貯水タンク３２を接続した状態でオーガ式製氷機１５を運転する場合で説明したが、内部貯水タンク１６のみを接続した状態でも運転することができる。すなわち、前述したように内部貯水タンク１６をリザーブタンク２６に接続することで、前記水供給回路３３における水検出装置３５の内部まで製氷水が満たされて、前記第２フロートスイッチＦＳ２の接点が閉成し、前記リレーＸ1は励磁可能な状態となるから、オーガ式製氷機１５を運転することができる。なお、内部貯水タンク１６内の製氷水がなくなったときには、前記天板２１を貯氷室１４から取外して上部開口を開放したもとで、内部貯水タンク１６を貯氷室１４から取出して外部で給水した後に、再び貯氷室１４に収容すればよい。
【００４４】
また、水供給回路３３に外部貯水タンク３２のみを接続したもとでも運転することができる。この場合は、製氷水を貯留した外部貯水タンク３２を水供給回路３３に接続したもとで、前記洗浄ボタンＰＢＳを押すとその接点が閉成し、リレーＸ5が励磁され、これと協働する常開接点Ｘ5−ａが閉成して、電磁ポンプＰＭへの通電が開始される。これにより、外部貯水タンク３２に貯留されている製氷水が、水供給回路３３を介してオーガ式製氷機１５およびリザーブタンク２６に供給され、前記第１フロートスイッチＦＳ１が上限水位を検知して上限接点ｆ−１ａが閉成し、リレーＸ4の励磁、リレーＸ5の消磁および常開接点Ｘ5−ａの開放により電磁ポンプＰＭが停止する。以後は、内部貯水タンクの空状態の運転の場合と同様である。
【００４５】
実施例では、装置本体に配設される製氷機としてオーガ式製氷機を挙げたが、噴射式や流下式等、その他各種型式の製氷機を採用し得る。また、水供給回路に設けられるポンプや排水回路に設けられる排水弁としては、実施例の電磁式に限らず、対応するスイッチの状態に応じて動作するものであれば、他の方式のタイプであってもよい。更に、実施例ではリザーブタンク、水検出装置および排水タンクにフロートスイッチを配設して水位を検知するよう構成したが、水位を検知する手段であれば、フロートスイッチに限定されるものでなく、他の方式の検知手段を採用し得る。なお、図３および図４に示す電気制御回路は一例であって、その回路構成は任意に変更が可能である
【図面の簡単な説明】
【００４６】
【図１】実施例に係る貯水式製氷装置の概略構成図である。
【図２】実施例に係るリザーブタンクと内部貯水タンクとの接続部を示す要部断面図である。
【図３】実施例に係る貯水式製氷装置の電気制御回路図である。
【図４】実施例に係る加湿器に関する電気制御回路図である。
【符号の説明】
【００４７】
１１ 装置本体，１５ オーガ式製氷機(製氷機)，１６ 内部貯水タンク
３９ 排水タンク，４２ 加湿器，４３ 加湿タンク
ＦＳ３ 第３フロートスイッチ(検知手段)
【図１】
2006038262.tif 000003
【図２】
2006038262.tif 000004
【図３】
2006038262.tif 000005
【図４】
2006038262.tif 000006